(57)【要約】【課題】ロータの回転に伴うベーンの摩耗を低減するベーンポンプを提供する。【解決手段】ロータ４及びベーン８は、第１ケーシング１０の内部に形成された収容凹部１０ｂに配設され、吸入通路１４及び吐出通路１６は収容凹部１０ｂに連通して形成されており、ベーン８にベーン側マグネット４１を設け、前記吸入通路１４と収容凹部１０ｂとの境界部分近傍における第１ケーシング１０の部位に吸込側マグネット４３を配設し、前記吐出通路１６と収容凹部１０ｂとの境界部分近傍における第１ケーシング１０の部位に吐出側マグネット４２を配設し、これらの吸込側マグネット４３及び吐出側マグネット４２を、ベーン側マグネット４１に対して反発するように設定している。【選択図】図１
2009228457.tif 000002
【特許請求の範囲】
【請求項１】
回転自在に軸支されたロータと、該ロータに出没自在に設けられたベーンと、これらのロータ及びベーンを収容するケーシングと、該ケーシングに設けられて、作動流体をケーシング内に流入させる吸入通路及び作動流体をケーシング外に流出させる吐出通路とを備え、
前記ロータ及びベーンは、ケーシングの内部に形成された収容凹部に配設され、前記吸入通路及び吐出通路は収容凹部に連通して形成されており、
前記ベーンにベーン側マグネットを設け、前記吸入通路と収容凹部との境界部分近傍におけるケーシングの部位に吸込側マグネットを配設し、前記吐出通路と収容凹部との境界部分近傍におけるケーシングの部位に吐出側マグネットを配設し、
これらの吸込側マグネット及び吐出側マグネットを、ベーン側マグネットに対して反発するように設定したことを特徴とするベーンポンプ。
【発明の詳細な説明】
【技術分野】
【０００１】
本発明は、モーターにより駆動され、液体を吸入及び吐出するベーンポンプに関する。
【背景技術】
【０００２】
従来から、液体を給排するベーンポンプとして特許文献１に開示されたものが知られている。このベーンポンプは、ケーシングの内部に形成された収容凹部に回転自在なロータを配置し、該ロータにベーン収容部を形成し、該ベーン収容部にベーンをスライド可能に配設したものである。
【特許文献１】特開昭６２−２９１４８８号公報
【発明の開示】
【発明が解決しようとする課題】
【０００３】
しかしながら、前記従来のベーンポンプにおいては、吸入通路と収容凹部との境界部分、及び、吐出通路と収容凹部との境界部分が鋭角な角部に形成されているため、ロータが回転すると、突出したベーンの先端が前記鋭角な角部に当たることによってベーンの先端部が摩耗するという問題があった。
【０００４】
そこで、本発明は、ロータの回転に伴うベーンの摩耗を低減するベーンポンプを提供することを目的とする。
【課題を解決するための手段】
【０００５】
請求項１に係るベーンポンプにおいては、回転自在に軸支されたロータと、該ロータに出没自在に設けられたベーンと、これらのロータ及びベーンを収容するケーシングと、該ケーシングに設けられて、作動流体をケーシング内に流入させる吸入通路及び作動流体をケーシング外に流出させる吐出通路とを備え、前記ロータ及びベーンは、ケーシングの内部に形成された収容凹部に配設され、前記吸入通路及び吐出通路は収容凹部に連通して形成されており、前記ベーンにベーン側マグネットを設け、前記吸入通路と収容凹部との境界部分近傍におけるケーシングの部位に吸込側マグネットを配設し、前記吐出通路と収容凹部との境界部分近傍におけるケーシングの部位に吐出側マグネットを配設し、これらの吸込側マグネット及び吐出側マグネットを、ベーン側マグネットに対して反発するように設定したことを特徴とする。
【発明の効果】
【０００６】
請求項１に記載のベーンポンプによれば、ロータが回転してベーンが吸入通路と収容凹部との境界部分に位置したときに、ベーン側マグネットが吸込側マグネットに反発するため、ベーンが瞬間的にロータの径内方向に押し戻されてベーンの先端面が収容凹部の内周面に当たることを防止できる。
【０００７】
一方、ロータが回転してベーンが吐出通路と収容凹部との境界部分に位置したときに、ベーン側マグネットが吐出側マグネットに反発するため、ベーンが瞬間的にロータの径内方向に押し戻されてベーンの先端面が収容凹部の内周面に当たることを防止できる。
【０００８】
以上より、ベーンの先端面がケーシングの収容凹部の内面に当たることによる生じるベーンの摩耗度合いを低減することができる。
【発明を実施するための最良の形態】
【０００９】
以下に、本発明の実施形態について図面を用いて説明する。
【００１０】
図１は本発明の実施形態によるベーンポンプの横断面における断面図、図２は図１のＡ−Ａ線によるベーンポンプの縦断面図である。
【００１１】
本実施形態によるベーンポンプ１は、ケーシング２と、該ケーシング２の内部の収容凹部１０ｂに収容されると共に、回転軸Ａｘを中心に回転自在に構成されたロータ４と、該ロータにスライド可能に設けられたベーン８と、ロータ４の下方に配設されたステータ２０と、を備えている。
【００１２】
前記ケーシング２は、上側に配置された第１ケーシング１０と、該第１ケーシング１０の下側に配設された第２ケーシング２３と、第２ケーシング２３の底部を覆う基板カバー２５とからなる。また、第１ケーシング１０と第２ケーシング２３との間は、Ｏリング３４によってシールされている。第１ケーシング１０には、吸入パイプ１３及び吐出パイプ１５が突設されており、吸入パイプ１３の内部には吸入通路１４が形成され、吐出パイプ１５の内部には吐出通路１６が形成されている。これらの吸入通路１４及び吐出通路１６は、断面円形状の収容凹部１０ｂに連通して形成されている。この収容凹部１０ｂ内には、ロータ４が配設されている。なお、第１ケーシング１０の角部には、円形のボルト挿通穴１０ａが４箇所形成されている。
【００１３】
ロータ４は、固定軸２１を中心に回転され、該固定軸２１の外周に設けられた軸受６と一体に形成されている。軸受６の上端及び下端は受板３０，３０によって保持されている。ロータ４の外周部分５ａには、径外方向に突出する羽根部５ｂが周方向に沿って所定間隔をおいて複数配設されている。この外周部分５ａと収容凹部１０ｂとの間には、ポンプ室９が形成されている。また、ロータ４の外周部分５ａから下方に向けて円筒状のスカート部１８が垂設され、該スカート部１８は着磁されて、スカート部１８及びステータ２０によってモータ１９が構成されている。
【００１４】
そして、ロータ４の外周部分５ａの保持部５ｃには、径方向に沿ってベーン収容部７が延設されており、該ベーン収容部７には角柱状のベーン８がスライド自在に収容されている。このベーン収容部７及びベーン８は、ロータ４の周方向に沿って等間隔に複数（本実施形態では４箇所）設けられている。それぞれのベーン８の内部には、断面矩形状のベーン側マグネット４１が埋設されている。
【００１５】
また、図１に明瞭に示すように、吸入通路１４と収容凹部１０ｂとの境界部分、及び、吐出通路１６と収容凹部１０ｂとの境界部分における第１ケーシング１０の部位に、前記ベーン側マグネット４１に反発する吸込側マグネット４３及び吐出側マグネット４２が埋設されている。特に、吐出側マグネット４２は、吐出通路１６の端部に形成された平面視略三角状の吐出側角部４４に埋設されている。
【００１６】
そして、前記ベーン側マグネット４１における径外側（外周側）の極と、吸込側マグネット４３及び吐出側マグネット４２における内周側の極は、互いに反発するように同一極に設定されている。例えば、ベーン側マグネット４１をＮ極とした場合は、吸込側マグネット４３及び吐出側マグネット４２もＮ極に設定し、ベーン側マグネット４１をＳ極とした場合は、吸込側マグネット４３及び吐出側マグネット４２もＳ極に設定する。
【００１７】
前記構成を有するベーンポンプ１の作動要領を簡単に説明する。
【００１８】
図１に示すように、ロータ４がＲＤ方向に回転をすると、遠心力によってベーン８がベーン収容部７内を径外方向に移動し、ベーン８の先端は第１ケーシング１０の収容凹部１０ｂの内面に摺接する。この状態でロータ４が回転すると、吐出通路１６と収容凹部１０ｂとの境界部分にある吐出側角部４４にベーン８が位置すると、ベーン側マグネット４１が吐出側マグネット４２と反発し、ベーン８を瞬間的にロータ４の径内方向に押し戻す。すると、ベーン８の先端面が収容凹部１０ｂの内面から僅かの距離分だけ離反する。
【００１９】
こののち、ベーン８が吸入通路１４と収容凹部１０ｃとの境界部分に位置したときにも、ベーン側マグネット４１が吸込側マグネット４３と反発し、ベーン８を瞬間的にロータ４の径内方向に押し戻す。すると、ベーン８の先端面が収容凹部１０ｂの内面から僅かの距離分だけ離反する。
【００２０】
従って、吸入側と吐出側とにおいて、ベーン８の先端が収容凹部１０ｂの内面から僅かの距離分だけ離反するため、ベーン８の摩耗を抑制することができる。
【図面の簡単な説明】
【００２１】
【図１】本発明の実施形態によるベーンポンプの横断面における断面図である。
【図２】図１のＡ−Ａ線によるベーンポンプの縦断面図である。
【符号の説明】
【００２２】
Ａｘ…回転軸
１…ベーンポンプ
２…ケーシング
４…ロータ
５ａ…外周部分
５ｂ…羽根部
５ｃ…保持部
６…軸受
７…ベーン収容部
８…ベーン
９…ポンプ室
１０…第１ケーシング（ケーシング）
１０ａ…ボルト挿通穴
１０ｂ…収容凹部
１０ｃ…収容凹部
１３…吸入パイプ
１４…吸入通路
１５…吐出パイプ
１６…吐出通路
１８…スカート部
１９…モータ
２０…ステータ
２１…固定軸
２３…第２ケーシング（ケーシング）
２５…基板カバー
３０，３０…受板
３４…Ｏリング
４１…ベーン側マグネット
４２…吐出側マグネット
４３…吸込側マグネット
４４…吐出側角部
【図１】
2009228457.tif 000003
【図２】
2009228457.tif 000004